(57)【要約】      （修正有）【課題】画面に表示された複数のボタン群を操作可能な入力装置において、ユーザのタッチ操作に対し適正に、画面に拡大表示する操作ボタン群が切り替わる入力装置を提供する。【解決手段】タッチパッド１１と、タッチ操作に応じて、タッチパッドを介して操作可能で且つ画面に拡大表示する操作ボタン群として、複数のボタン群から１つのボタン群を選択する選択処理部１６と、操作ボタン群が選択された状態で、タッチパッドを介しての操作ボタン群のボタン入力を受け付ける入力処理部１７と、操作ボタン群が選択された状態で、タッチパッドにおけるタッチ位置の移動方向に基づいて、操作ボタン群を別のボタン群へ切り替える切替処理部１８とを備える。切替処理部には、ボタン群毎に、切替先の候補となる他のボタン群に対して、操作ボタン群の切り替えを受け付けるタッチ位置の移動方向が設定されている。【選択図】図１
2016146105.tif 000002
【特許請求の範囲】
【請求項１】
画面に表示された複数のボタン群の操作を行うための入力装置であって、
タッチパッドと、
前記画面に前記複数のボタン群が表示された状態で、前記タッチパッドに対するタッチ操作に応じて、前記タッチパッドを介して操作可能で且つ前記画面に拡大表示する操作ボタン群として、前記複数のボタン群から１つのボタン群を選択する選択処理部と、
前記操作ボタン群が選択された状態で、前記タッチパッドを介しての前記操作ボタン群のボタン入力を受け付ける入力処理部と、
前記操作ボタン群が選択された状態で、前記タッチパッドにおけるタッチ位置の移動方向に基づいて、前記操作ボタン群を別のボタン群へ切り替える切替処理部とを備え、
前記切替処理部には、前記ボタン群毎に、切替先の候補となる他のボタン群に対して、前記操作ボタン群の切り替えを受け付ける前記タッチ位置の移動方向が設定されている、入力装置。
【発明の詳細な説明】
【技術分野】
【０００１】
本発明は、タッチパッドを備えた入力装置に関する。
【背景技術】
【０００２】
特許文献１に、背面タッチパッドを備えたゲーム機が記載されている。このゲーム機は、画面にオンスクリーンキーボードが表示された状態で、背面タッチパッドに対するタップ操作を受け付けると、タップ操作を受け付けた位置に対応する画面の位置に表示されたキーを拡大表示する。そして、この状態から、ユーザが背面タッチパッドにタッチしたまま指をずらした場合は、背面タッチパッドに対する入力位置の移動を受け付け、拡大表示の対象となるキーを変更する。
【先行技術文献】
【特許文献】
【０００３】
【特許文献１】特開２０１３−２３５３４４号公報
【発明の概要】
【発明が解決しようとする課題】
【０００４】
しかし、従来は、画面に表示された１つのボタン群（オンスクリーンキーボード）の操作にしか対応しておらず、タッチパッドを用いて、画面に表示された複数のボタン群の操作を行うことが考えられていない。そのため、操作可能なボタンを拡大表示する従来技術を適用した場合、タッチ操作によって拡大表示する対象の操作ボタン群が予期せず切り替わる虞がある。
【０００５】
本発明は、上記課題に鑑みてなされたものであり、画面に表示された複数のボタン群を操作可能であって、ユーザのタッチ操作による入力操作がしやすい入力装置を提供することを目的とする。
【課題を解決するための手段】
【０００６】
本発明は、画面に表示された複数のボタン群の操作を行うための入力装置であって、
タッチパッドと、画面に複数のボタン群が表示された状態で、タッチパッドに対するタッチ操作に応じて、タッチパッドを介して操作可能で且つ画面に拡大表示する操作ボタン群として、複数のボタン群から１つのボタン群を選択する選択処理部と、操作ボタン群が選択された状態で、タッチパッドを介しての操作ボタン群のボタン入力を受け付ける入力処理部と、操作ボタン群が選択された状態で、タッチパッドにおけるタッチ位置の移動方向に基づいて、操作ボタン群を別のボタン群へ切り替える切替処理部とを備え、切替処理部には、ボタン群毎に、切替先の候補となる他のボタン群に対して、操作ボタン群の切り替えを受け付けるタッチ位置の移動方向が設定されている。
【０００７】
本発明では、複数のボタン群の１つが、タッチパッドを介して操作可能な操作ボタン群として選択され、画面に拡大表示される。操作ボタン群が選択された状態では、タッチパッドを介して操作ボタンのボタン入力が可能である。また、この状態では、タッチ位置を移動させるタッチ操作によって、操作ボタン群を別のボタン群へ切り替えることが可能である。本発明では、ボタン群毎に、切替先の候補となる他のボタン群に対して、操作ボタン群の切り替えを受け付けるタッチ位置の移動方向が設定されている。そのため、ユーザが、設定された方向にタッチ位置を移動させることで、所望のボタン群へ操作ボタン群を切り替えることができる。
【発明の効果】
【０００８】
以上より、本発明によれば、画面に表示された複数のボタン群を操作可能であって、ユーザのタッチ操作による入力操作がしやすい入力装置を提供することができる。
【図面の簡単な説明】
【０００９】
【図１】実施の形態に係る車載端末の機能ブロック図
【図２】実施の形態に係る表示装置の画面の表示状態を説明するための図
【図３】ボタン入力を受け付ける様子を示した図
【図４】複数の操作ボタン群が互いに切り替えられる様子を示した図
【図５】参考例に係る表示装置の画面の表示状態を説明するための図
【図６】タッチ操作に伴う表示装置の画面遷移を表す図
【発明を実施するための形態】
【００１０】
以下、図１−図４を参照しながら、実施の形態について詳細に説明する。
【００１１】
［概要］
本実施の形態は、タッチパッドを用いて遠隔操作可能な車載端末（例えば、カーナビゲーション機能を有する車載端末）である。車載端末の画面に複数のボタン群が表示された状態で、ユーザがタッチパッドに対しタッチ操作を行うと、１つのボタン群が、タッチパッドを介して操作可能な操作ボタン群として選択され拡大表示される。そして、操作ボタン群を別のボタン群へ切り替える際に、操作ボタン群の切り替えを受け付けるタッチ位置の移動方向が設定されている。このため、拡大表示の対象となる操作ボタン群が予期せず変更されることを抑制できる。
【００１２】
［入力装置］
図１は、本実施の形態に係る車載端末１の機能ブロック図である。図２は、本実施の形態に係る表示装置２０の画面２９の表示状態を説明するための図である。
【００１３】
図１に示すように、車載端末１は、入力装置１０と、表示装置２０とを備えている。表示装置２０は、入力装置１０とは別体である。入力装置１０は、例えば車両のステアリングに配置されている。表示装置２０は、例えば車両のインストルメントパネルの前面中央部に配置されている。表示装置２０には、液晶ディスプレイなどの周知のディスプレイを用いることができる。まず車載端末１について説明する。
【００１４】
本実施の形態に係る車載端末１は、複数のボタン２１を表示装置２０の画面２９に表示し、入力装置１０を介して、複数のボタン２１のいずれかを選択できるように構成されている。表示装置２０の画面２９には、図２（ａ）に示すように、横方向に複数のボタン２１が配列された第１ボタン群３１と、縦方向に複数のボタン２１が配列された第２ボタン群３２及び第３ボタン群３３と、縦方向及び横方向のそれぞれに複数のボタン２１が配列された第４ボタン群３４とが表示されている。各ボタン群３１〜３４は、画面２９に点在して表示されている。なお、図２に示すように、表示装置２０の画面２９は、タッチ操作によって、各ボタン群３１〜３４を通常表示する第１表示状態（図２（ａ）に示す表示状態）から、各ボタン群３１〜３４のうち１つのボタン群だけを拡大表示して操作ボタン群５１とする第２表示状態（図２（ｂ）に示す表示状態）へ切り替わる。図２（ｂ）の画面２９では、操作ボタン群５１として第１ボタン群３１だけが拡大されている。次に、入力装置１０について説明する。
【００１５】
図１に示すように、入力装置１０は、タッチパッド１１と、処理部１４と、記憶部１５とを備えている。また、処理部１４は、選択処理部１６と、入力処理部１７と、切替処理部１８とを備えている。次に、各部の構成について説明する。
【００１６】
タッチパッド１１は、図２に示すように、ユーザが指等でタッチ操作するための矩形上の入力面１２を有している。また、タッチパッド１１の入力面１２の中心が、タッチパッド１１を操作する際の基準位置（ホームポジション）Ｐとして予め設定されている。
【００１７】
タッチパッド１１は、入力面１２上のタッチ位置（指等の接触位置）を検出し、タッチ位置の変化状態に基づいて、タッチ操作の種類を検出する。具体的に、タッチパッド１１は、タッチ操作が、タップ操作、スワイプ操作、又はフリック操作の何れであるかを検出する。また、タッチパッド１１は、タッチ操作がスワイプ操作、又はフリック操作である場合に、タッチ位置の移動方向を検出する。また、タッチパッド１１は、スワイプ操作の場合、タッチ位置の移動量を検出する。なお、タッチ位置は、入力面１２の横方向をＸ方向として縦方向をＹ方向とした、ＸＹ座標系の座標値によって表される。タッチパッド１１は、タッチ操作に関する情報（タッチ操作の種類、スワイプ操作、又はフリック操作の場合タッチ位置の方向）を処理部１４へ出力する。
【００１８】
選択処理部１６は、第１表示状態で入力面１２へのタップ操作が検出された場合に、タッチパッド１１を介して操作可能で且つ画面２９に拡大表示する操作ボタン群５１として、複数のボタン群３１〜３４から１つのボタン群を選択する。また、選択処理部１６は、選択された操作ボタン群５１以外のボタン２１は、入力を受け付けないように規制する。選択処理部１６は、処理結果に基づいて表示装置２０の表示制御を行う。
【００１９】
切替処理部１８は、第２表示状態で入力面１２へのフリック操作が検出された場合に、タッチ位置の移動方向（フリック方向）に応じて、操作ボタン群５１を別のボタン群３１〜３４へ切り替える。また、詳細は後述するが、切替処理部１８には、複数のボタン群３１〜３４毎に、切替先の候補となる他のボタン群３１〜３４に対して、操作ボタン群５１の切り替えを受け付けるタッチ位置の移動方向が設定されている。切替処理部１８は、処理結果に基づいて表示装置２０の表示制御を行う。
【００２０】
入力処理部１７は、第２表示状態で入力面１２へのタップ操作が検出された場合に、選択された操作ボタン群５１における複数のボタン２１から、入力面１２におけるタップ位置に対応した位置のボタン２１の入力を受け付ける。入力処理部１７は、受け付けた入力情報を、車載端末１の各種機能を制御する端末制御部（図示省略）へ出力する。
【００２１】
［第１表示状態における処理動作］
次に、第１表示状態における処理動作について説明する。
【００２２】
第１表示状態は、上述したように、複数のボタン群３１〜３４が通常表示されている状態である（図２（ａ）参照）。何れのボタン群３１〜３４も拡大表示されていない。第１表示状態で、タッチパッド１１がタップ操作を検出すると、選択処理部１６は、タッチパッド１１からタップ位置を取得する。そして、選択処理部１６は、タップ位置に応じて、複数のボタン群３１〜３４の中から操作ボタン群５１として１つのボタン群を選択する。
【００２３】
具体的に、記憶部１５には、画面２９上の各ボタン群３１〜３４の中心位置Ｃ１〜Ｃ４（図２（ａ）参照）に対応する、入力面１２上の座標値（以下、「第１対応座標値」という）が格納されている。選択処理部１６は、各ボタン群３１〜３４の第１対応座標値を記憶部１５から読み出す。続いて、選択処理部１６は、第１対応座標値がタップ位置に最も近い１つのボタン群を操作ボタン群５１として選択する。また、選択処理部１６は、選択された操作ボタン群５１以外のボタン２１は、操作できないように規制する。続いて、選択処理部１６は、表示装置２０へ表示変更指示を行うことで、操作ボタン群５１として選択したボタン群３１〜３４を画面２９上で拡大表示させ、操作ボタン群５１を囲う規制枠６１を画面２９上に表示させる。例えば、第１ボタン群３１が操作ボタン群５１として選択された場合、画面２９が、図２（ａ）に示す表示状態から、図２（ｂ）に示す表示状態へ変更される。
【００２４】
［第２表示状態における処理動作］
次に、第２表示状態における処理動作について説明する。
【００２５】
第２表示状態は、上述したように、複数のボタン群３１〜３４のうち１つのボタン群だけを拡大表示させた状態である（図２（ｂ）参照）。第２表示状態で、タッチパッド１１がタップ操作を検出すると、入力処理部１７は、タッチパッド１１からタップ位置を取得する。そして、入力処理部１７は、タップ位置に応じて、操作ボタン群５１における複数のボタン２１から１つのボタンの入力を受け付ける。
【００２６】
具体的に、記憶部１５には、ボタン群３１〜３４毎に、ボタン群における各ボタン２１の中心位置に対応する、入力面１２上の座標値（以下、「第２対応座標値」という）が格納されている。各ボタン群３１〜３４の第２対応座標値は、ボタン群の中心位置が基準位置Ｐの座標値に対応するように定められている。入力処理部１７は、操作ボタン群５１として選択されているボタン群３１〜３４の第２対応座標値を記憶部１５から読み出す。続いて、入力処理部１７は、第２対応座標値がタップ位置に最も近い１つのボタン２１の入力を受け付ける。続いて、入力処理部１７は、受け付けたボタンの情報を、上述の端末制御部（図示省略）へ出力する。
【００２７】
図３（ａ）は、図２（ａ）に示す第４ボタン群３４が操作ボタン群５１として拡大表示された状態を示す。この状態でタップ操作が行われる場合、入力処理部１７は、第４ボタン群３４の第２対応座標値を記憶部１５から読み出す。第４ボタン群３４の第２対応座標値は、第４ボタン群３４の中心位置Ｒが基準位置Ｐの座標値に対応するように定められている。ユーザが、例えば入力面１２内の右下の位置（×印で示した位置）にタップ操作を行うと、第４ボタン群３４の右下のボタン（ハッチングを付したボタン）の入力が受け付けられる。
【００２８】
なお、スワイプ操作によって操作ボタン群５１の中からボタン２１を入力できるようにしてもよい。図３（ｂ）は、図２（ａ）に示す第１ボタン群３１が操作ボタン群５１として拡大表示された状態を示す。画面にはポインタ５９が表示されている。例えば、ユーザは、スワイプ操作によって、所望のボタン２１（右から２番目のボタン）上にポインタ５９を移動させてタップ操作を行うと、そのボタン２１の入力が受け付けられる。この場合、スワイプ操作を行っても、ポインタ５９が操作ボタン群５１上に存在している間は、後述する操作ボタン群５１の切り替えは行われず、ポインタ５９が操作ボタン群５１の外側に移動した場合に、操作ボタン群５１の切り替えが行われる。
【００２９】
また、第２表示状態で、タッチパッド１１がフリック操作を検出すると、切替処理部１８は、タッチパッド１１からタッチ位置の移動方向を取得する。そして、切替処理部１８は、タッチ位置の移動方向に応じて、操作ボタン群５１を別のボタン群３１〜３４へ切り替える。
【００３０】
具体的に、記憶部１５は、ボタン群３１〜３４毎に、フリック操作におけるタッチ位置の移動方向に対して操作ボタン群５１をどのボタン群３１〜３４へ切り替えるのかを判定するための切替用情報が格納されている。切替用情報では、例えば、複数のボタン群３１〜３４毎に、切替先の候補となる他のボタン群３１〜３４に対して、操作ボタン群５１の切り替えを受け付けるタッチ位置の移動方向（以下、「切替判定方向」という）が設定されている。
【００３１】
図４は、複数の操作ボタン群５１が互いに切り替えられる様子を示した図である。図４に示すように、第１操作ボタン群５１からは、第２操作ボタン群５２、第３操作ボタン群５３又は第４操作ボタン群５４の何れかに切替可能である。第２操作ボタン群５２からは、第１操作ボタン群５１又は第３操作ボタン群５３の何れかに切替可能である。第３操作ボタン群５３からは、第１操作ボタン群５１、第２操作ボタン群５２又は第４操作ボタン群５４の何れかに切替可能である。第４操作ボタン群５４からは、第１操作ボタン群５１又は第３操作ボタン群５３の何れかに切替可能である。
【００３２】
切替処理部１８は、切替用情報を記憶部１５から読み出す。続いて、切替処理部１８は、切替判定方向がタッチ位置の移動方向に最も近いボタン群３１〜３４を、操作ボタン群５１への切り替え先に選択する。なお、タッチ位置の移動方向が、何れの切替判定方向に対しても反対方向である場合には、操作ボタン群５１は切り替わらない。続いて、切替処理部１８は、表示装置２０へ表示変更指示を行うことで、切り替え先のボタン群を拡大表示させ、それに伴い規制枠６１の表示位置を移動させる。
【００３３】
図４を用いて、切替判定方向を具体的に説明する。各ボタン群３１〜３４には、図４に両矢印で示した切替判定方向が設定されている。例えば、第１ボタン群３１を拡大した操作ボタン群５１が画面２９上に表示されている場合で説明する。第１ボタン群３１から第２ボタン群３２への切替判定方向は、左下方向に設定されている。このため、ユーザが入力面１２に対し左下方向にフリック操作を行うと、切替処理部１８は、切替判定方向に基づいて、操作ボタン群５１を第２ボタン群３２へ切り替える。
【００３４】
［実施の形態の効果］
本実施の形態によれば、複数のボタン群３１〜３４毎に、切替先の候補となる他のボタン群３１〜３４に対して、操作ボタン群５１の切り替えを受け付けるタッチ位置の移動方向が設定されている。そのため、ユーザが、設定された方向にタッチ位置を移動させることで、所望のボタン群３１〜３４へ操作ボタン群５１を切り替えることができる。以上より、ユーザのタッチ操作に対し適正に、画面２９に拡大表示する操作ボタン群５１が切り替わる。
【００３５】
＜参考例＞
参考例は、入力装置１０を介して、表示装置２０の画面に表示された１つのボタン群の操作を行うように構成された車載端末２である。図５は、表示装置２０の画面の表示状態を説明するための図である。車載端末２では、表示装置２０の画面２９が、タッチ操作によって、１つのボタン群としてスクリーンキーボード８０を通常表示する第３表示状態（図５（ａ）に示す表示状態）と、スクリーンキーボード８０の一部の領域に含まれる複数のボタン７１（キー）を拡大表示する第４表示状態（図５（ｂ）に示す表示状態）とに切り替わる。第４表示状態では、複数のボタン７１Ａ、７１Ｂ（図５（ｂ）では９つのボタン）が拡大表示される。拡大表示された複数のボタン７１Ａ、７１Ｂは、タッチパッド１１を介して操作可能な操作ボタン群８５を構成している。
【００３６】
入力装置１０は、上述の実施の形態と同様に、タッチパッド１１と、検出部１３と、記憶部１５と、処理部１４とを備えている（図示省略）。但し、処理部１４が行う処理動作等が、上述の実施の形態とは異なる。
【００３７】
［第３表示状態における処理動作］
図６は、タッチ操作に伴う表示装置２０の画面遷移を表す図である。図６（ａ）に示す第３表示状態で、タッチパッド１１によってタップ操作が検出された場合に、処理部１４が、タッチパッド１１からタップ位置を取得し、そのタップ位置に応じて、スクリーンキーボード８０の中から、操作ボタン群８５の構成ボタンを選択する。具体的に、記憶部１５は、スクリーンキーボード８０のボタン７１毎に、画面２９上のボタン７１の中心位置に対応する入力面１２上の座標値（以下、「第３対応座標値」という）を格納している。処理部１４は、各ボタン７１の第３対応座標値を記憶部１５から読み出し、第３対応座標値がタップ位置に最も近いボタン７１Ａ（以下、「対応ボタン」という）を検出する。そして、処理部１４は、対応ボタン７１Ａと、対応ボタン７１Ａに隣り合って対応ボタン７１Ａを囲む複数のボタン７１Ｂ（図６（ｂ）では８つのボタン）とを、タッチパッド１１を介して操作可能な操作ボタン群８５として選択する。
【００３８】
処理部１４は、操作ボタン群８５の選択後に、スクリーンキーボード８０のうちタッチパッド１１を介して操作可能なボタンを、操作ボタン群８５のボタン７１Ａ、７１Ｂだけに規制する。これにより、スクリーンキーボード８０のうち、操作ボタン群８５以外のボタン７１の入力を行うことができなくなる。また、処理部１４は、表示装置２０に表示変更指示を行うことで、操作ボタン群８５を画面２９上で拡大表示させ、操作ボタン群８５を囲う規制枠９１を画面２９上に表示させる。これにより、画面２９の表示状態が、図６（ｂ）に示す第４表示状態に切り替わる。
【００３９】
なお、第３表示状態では最も下のボタン列（横方向のボタン列）の位置が、その上の２つのボタン列に対して横方向にずれているが、操作ボタン群８５の構成キーは、縦方向及び横方向にずれがない升目状に拡大表示される。そのため、ユーザにとってボタン群８５の操作性が向上する。
【００４０】
［第４表示状態における処理動作］
第４表示状態では、タッチパッド１１によってタップ操作が検出された場合に、処理部１４が、タッチパッド１１からタップ位置を取得し、操作ボタン群８５の中から、タップ位置に対応する位置のボタン７１Ａ、７１Ｂの入力を受け付ける。具体的に、記憶部１５は、操作ボタン群８５における各ボタン７１Ａ、７１Ｂの中心位置に対応する入力面１２上の座標値（以下、「第４対応座標値」という）を格納している。操作ボタン群８５の中心位置（ボタン７１Ａの中心位置）は、基準位置Ｐの座標値に対応している。処理部１４は、各ボタン７１の第４対応座標値を記憶部１５から読み出し、第４対応座標値がタップ位置に最も近いボタン７１Ａ、７１Ｂ（以下、「タップボタン」という）を検出し、タップボタン７１Ａ、７１Ｂの入力を受け付ける。処理部１４は、タップボタン７１Ａ、７１Ｂの情報を、端末制御部へ出力する。第４表示状態では、ユーザがタップ操作を行う度にタップボタン７１Ａ、７１Ｂの入力が受け付けられる。
【００４１】
第４表示状態では、ユーザは、複数の指を用いて、操作ボタン群８５のボタン７１Ａ、７１Ｂを連続して入力できる。また、操作ボタン群８５の中心位置を基準位置Ｐに対応させているため、ユーザは、基準位置Ｐを基準にして、ボタン７１Ａ、７１Ｂのブラインド操作が可能である。
【００４２】
また、第４表示状態では、タッチパッド１１によって特定スワイプ操作が検出された場合に、処理部１４が、図６（ｃ）に示すように、特定スワイプ操作のタッチ位置の移動方向にボタン１つ分だけ、操作ボタン群８５の構成ボタンの選択領域を移動させ、操作ボタン群８５の構成ボタンを変更する。ここで、特定スワイプ操作とは、入力面１２を囲う枠部材（壁部材）の近傍まで指等を接触させたままスライドするスワイプ操作である。タッチパッド１１は、スワイプ操作の終端のＸ座標（入力面１２の横方向をＸ方向とする）が第１判定値以下である場合に、左方向への特定スワイプ操作であると判定し、スワイプ操作の終端のＸ座標が第２判定値（＞第１判定値）以上である場合に、右方向への特定スワイプ操作であると判定する。第１判定値は、入力面１２の左端のＸ座標よりも少し大きい値である。第２判定値は、入力面１２の右端のＸ座標よりも少し小さい値である。操作ボタン群８５の構成ボタンの変更後、処理部１４は、表示装置２０に表示変更指示を行うことで、変更後の操作ボタン群８５の構成ボタンを拡大表示させ、それに伴い規制枠９１の表示位置を移動させる。第４表示状態で、ユーザは、タップ操作と特定スワイプ操作とを一連の操作として行うことで、スクリーンキーボード８０の操作を短時間で行うことができる。
【産業上の利用可能性】
【００４３】
本発明は、タッチパッドを備えた入力装置などに適用可能である。
【符号の説明】
【００４４】
１、２  車載端末
１０    入力装置
１１    タッチパッド
１６    選択処理部
１７    入力処理部
１８    切替処理部
２０    表示装置
【図１】
2016146105.tif 000003
【図２】
2016146105.tif 000004
【図３】
2016146105.tif 000005
【図４】
2016146105.tif 000006
【図５】
2016146105.tif 000007
【図６】
2016146105.tif 000008